(57)【要約】【課題】食事内容を選択する際に適切な管理を行うことが出来る血糖値測定装置を提供する。【解決手段】食品のメニューに記された食品情報を読み取る読取部１と、この読取部１が読み取った複数の食品の栄養情報を保持する栄養情報保持部２と、使用者の血糖値を測定する血糖値測定部３と、測定した前記血糖値を蓄積する血糖値蓄積部４と、蓄積した前記血糖値に基づいて、前記栄養情報保持部２が保持した食品群から選択可能な食品の組み合わせを判定する食品判定部５と、この食品判定部５の判定結果を表示する表示部６とを備えた。【選択図】図１
2010178881.tif 000002
【特許請求の範囲】
【請求項１】
食品のメニューに記された食品情報を読み取る読取部と、
この読取部が読み取った複数の食品の栄養情報を保持する栄養情報保持部と、
使用者の血糖値を測定する血糖値測定部と、
測定した前記血糖値を蓄積する血糖値蓄積部と、
蓄積した前記血糖値に基づいて、前記栄養情報保持部が保持した食品群から選択可能な食品の組み合わせを判定する食品判定部と、
この食品判定部の判定結果を表示する表示部とを備えた血糖値測定装置。
【請求項２】
前記食品判定部は、前記血糖値蓄積部が蓄積した使用者の血糖値の履歴から、食後の血糖値を推定する血糖値推定部を備える請求項１に記載の血糖値測定装置。
【請求項３】
食後の血糖値の最高値が最高制限値を越えない食品の組み合わせを選択する
請求項２に記載の血糖値測定装置。
【請求項４】
前記食品判定部は、前記読取部が読み取った食品を全て摂取しても前記血糖値推定部が推定する食後の血糖値の所定時間内の最低値が最低制限値を下回る場合には、前記表示部に糖分の追加選択を表示させる
請求項２または３に記載の血糖値測定装置。
【発明の詳細な説明】
【技術分野】
【０００１】
本発明は、血糖値測定装置に関する。
【背景技術】
【０００２】
使用者が、食事で摂取するカロリーや栄養素等の管理を簡単に行うための健康管理端末がある。この端末は、メニューから料理の詳細を読み取ると、その料理のカロリーをデータベースから取り寄せる。そして、使用者のその日の運動量から消費カロリーを求め、その料理を摂取しても良いかどうかを判断するようにしている（例えば、特許文献１参照）。
【特許文献１】特開２００６−０３９７７４号公報
【発明の開示】
【発明が解決しようとする課題】
【０００３】
この技術を用いれば、その日の運動量に応じて変動する必要な摂取カロリーが分かり、それに基づいて料理を選択することが出来て使用者の健康管理に有用である。ところが、従来の技術では間接的に消費カロリーを推定するものであるため、血糖値の調整が必要な使用者にとっては適切な管理が困難であるという課題を有していた。
【０００４】
そこで本発明は、食事内容を選択する際に適切な管理が出来るようにした血糖値測定装置を提供することを目的とする。
【課題を解決するための手段】
【０００５】
そしてこの目的を達成するために、本発明の血糖値測定装置は、食品のメニューに記された食品情報を読み取る読取部と、この読取部が読み取った複数の食品の栄養情報を保持する栄養情報保持部と、使用者の血糖値を測定する血糖値測定部と、測定した前記血糖値を蓄積する血糖値蓄積部と、蓄積した前記血糖値に基づいて、前記栄養情報保持部が保持した食品群から選択可能な食品の組み合わせを判定する食品判定部と、この食品判定部の判定結果を表示する表示部とを備えた事を特徴とするものである。
【発明の効果】
【０００６】
以上のように本発明の血糖値測定装置によれば、使用者の血糖値の状態に基づいて摂取可能な食品を選択するようにしたので、食事内容を選択する際に適切な管理が出来る。
【発明を実施するための最良の形態】
【０００７】
以下に、本発明の血糖値測定装置の実施の形態を図面とともに詳細に説明する。
【０００８】
（実施の形態）
図１は、本実施の形態における血糖値測定装置の構成を示している。図１に示すように本実施の形態の血糖値測定装置は、食品のメニューに記された食品情報を読み取る読取部１と、この読取部１が読み取った複数の食品の栄養情報を保持する栄養情報保持部２と、使用者の血糖値を測定する血糖値測定部３と、測定した前記血糖値を蓄積する血糖値蓄積部４と、蓄積した前記血糖値に基づいて、前記栄養情報保持部が保持した食品群から選択可能な食品の組み合わせを判定する食品判定部５と、この食品判定部の判定結果を表示する表示部６とを備えている。さらに、食品判定部５は、食後の血糖値を推定する血糖値推定部７を有する。
【０００９】
まず、読取部１と栄養情報保持部２について説明する。例えば、読取部１はメニューに表示されている２次元バーコードを撮像するカメラである。近年、健康志向の高まりから、レストラン等の外食店では、メニューに掲載した食品のカロリー情報やＧＩ（Ｇｌｙｓｅｍｉｃ  Ｉｎｄｅｘ）情報を提供するようになりつつある。ここでは、メニュー上に、食品と、その栄養情報として、ＧＩ情報がＱＲコード（登録商標）のような２次元バーコードで表したものが掲載されたものとする。ここでＧＩ情報は、２次元バーコードではなく、１次元のバーコードや数字が表記された状態で提供されるものでも良い。数字を読み取る時には、読取部１は、ＯＣＲ（Ｏｐｔｉｃａｌ  Ｃｈａｒａｃｔｅｒ  Ｒｅａｄｅｒ）で構成されていれば良い。
【００１０】
この読取部１で読み取られたＧＩ情報は、食品と関連付けされて栄養情報保持部２に保持される。使用者は、その食事で摂取する食品の数だけ、読取部１を用いてメニューからＧＩ情報を取得する。すると栄養情報保持部２には、表１に示すように、それらが食品と関連付けられて保持される。
【００１１】
【表１】
2010178881.tif 000003
【００１２】
表１に示した例では、使用者が選択した候補として、食品Ａ、食品Ｂ、食品Ｃ、食品Ｄ、飲物Ａ、飲物Ｂを読取部１で読み取っている。
【００１３】
次に、血糖値測定部３と血糖値蓄積部４について説明する。血糖値測定部３は、使用者の血液から血糖値を測定するものである。まず、血糖値測定部３に血糖値センサ（図示せず）を装着する。次に、使用者が血液を点着すると、血糖値測定部３は血糖値の測定を行う。
【００１４】
この血糖値の測定は、例えば次に示す電気化学方式で実現される。血糖値センサには、電極と、この電極上の血液を点着する位置に試薬が塗布されており、血液が点着されるとこの試薬と反応する。電極には予め電圧が印加されており、この試薬の反応によって電極を流れる電流量が変化する。この電流の変化量を検量線に当てはめ、血糖値を推定する。血糖値測定部３で測定された血糖値は、血糖値蓄積部４に送られる。
【００１５】
血糖値蓄積部４は、血糖値測定部３から血糖値が送られると、内蔵の時計（図示せず）から時刻を取得し、血糖値と関連付けて蓄積する。血糖値の測定頻度は、使用者の状態によって異なるが、血糖値蓄積部４には、少なくとも直前の２４時間の測定結果が蓄積されるようにする。
【００１６】
次に、本実施の形態の特徴の一つである食品判定部５について詳細に説明する。食品判定部５は、食事後に使用者が高血糖、または低血糖に陥らないように、食事で摂取可能な食品を判定するものである。食品判定部５は、まず、栄養情報保持部２から使用者が食事の候補と考えて読み取った食品のＧＩ情報を読み出す。そして、表２の如く、それら全ての食品の組み合わせを構成して、それぞれの組み合わせの総ＧＩを求める。
【００１７】
【表２】
2010178881.tif 000004
【００１８】
食品の組み合わせと総ＧＩが求められると、次に、食品判定部５内の血糖値推定部７が、それぞれの組み合わせを使用者が摂取した場合の、食後８時間内での最高血糖値と最低血糖値を推定する。
【００１９】
現在では、糖質を摂取した後血糖値がどのように推移するかは解明されている。図２は、高ＧＩの食品、低ＧＩの食品を摂取した後の血糖値の推移例を表すグラフである。曲線Ａが高ＧＩの食品、曲線Ｂが低ＧＩの食品の血糖値の推移である。図２では、簡単のために食後２時間の推移を示した。この推移は、平均的なものではあるが、使用者に適応させるために、予め使用者の食後の血糖値推移を測定しておき、血糖値推定部７に保存しておいても良い。
【００２０】
使用者の血糖値は、この血糖値曲線の和により求まるため、血糖値推定部７は、それぞれの食品の組み合わせの血糖値曲線を求め、そこから最高血糖値と最低血糖値を推定する。この時、血糖値推定部７は、さらに過去の使用者の血糖値履歴を用いて、最高血糖値と最低血糖値の推定を補正する。
【００２１】
まず、血糖値推定部７は、血糖値蓄積部４に蓄積されている最近の血糖値測定時刻と血糖値を参照する。最近の血糖値測定時刻から、現在時刻が３０分以内であれば、その血糖値を初期血糖値として、血糖値曲線を補正し、最高血糖値と最低血糖値を求める。
【００２２】
一方、最近の血糖値測定時刻から３０分以上経過している場合には、さらに、それより前の直近の２回の血糖値を参照する。そして、これら３回の測定した血糖値の推移から、現在の血糖値を推定し、その推定した血糖値を初期血糖値として、血糖値曲線を補正し、最高血糖値と最低血糖値を求める。
【００２３】
食品判定部５は、全ての食品の組み合わせに対して、血糖値推定部７において最高血糖値と最低血糖値が推定された後、最高血糖値が最高制限値、即ち使用者にとってそれを超えると体調が悪化する可能性のある血糖値、を超える組み合わせには“オーバー”というフラグを付す。一方、食後８時間内に最低血糖値が最低制限値、即ち、それよりも血糖値が低いと低血糖状態に陥ってしまう血糖値、を下回る組み合わせには、“アンダー”というフラグを付す。そして、食品の組み合わせと、その組み合わせの総ＧＩと、フラグの有無とを表示部６へと出力する。
【００２４】
なお、ここで食後８時間内の最高血糖値と最低血糖値を判定に用いたのは、次の食事までの時間を想定したためであるが、この時間は使用者の生活習慣に合わせて、自由に設定することを可能とする。また、次の食事までの時間設定として、夜食時は長く、朝食時と昼食時は短くするようにしても良い。
【００２５】
表示部６は、食品判定部５から送られて来た、食品の組み合わせ、総ＧＩ、フラグを表示する。図３は、その表示例を示したものである。フラグは、“オーバー”の時は「取り過ぎ」、“アンダー”の時は「不足」などとして表示する。
【００２６】
この時、使用者が取得した食品数が多い場合は、フラグが付されていない組み合わせを優先的に表示するようにする。または、使用者が組み合わせ数を指定すると、その指定した数の組み合わせ結果を表示するようにしても良い。
【００２７】
あるいは、一旦、表示部６に使用者が取得した食品の情報を表示する。そして、使用者が図示しない入力手段を用いて食品を選択すると、その選択した物の組み合わせのみを表示部６に表示するようにしても良い。
【００２８】
以上のように、本実施の形態の血糖値測定装置によれば、摂取する食品の組み合わせから得られる総ＧＩ値によって変動する使用者の血糖値の変動を推定し、その変動が許容範囲内であるか否かを判定して表示するようにしたので、食事内容を選択する際に適切な管理を行うことが出来るようになる。
【産業上の利用可能性】
【００２９】
本発明にかかる血糖値測定装置は、使用者の健康管理を行うための血糖計や情報管理端末等として有用である。
【図面の簡単な説明】
【００３０】
【図１】本発明の実施の形態における血糖値測定装置のブロック図
【図２】血糖値の変動を示した図
【図３】表示例を示した図
【符号の説明】
【００３１】
１  読取部
２  栄養情報保持部
３  血糖値測定部
４  血糖値蓄積部
５  食品判定部
６  表示部
７  血糖値推定部
【図１】
2010178881.tif 000005
【図２】
2010178881.tif 000006
【図３】
2010178881.tif 000007